(57)【要約】【課題】遊技機を保管し、運搬する際に遊技機相互を安定的に組み上げ、転倒等を防止するようにした遊技機を提供する。【解決手段】遊技機の外枠（３）の左右の側枠板（３ｂ）に所要の間隔をおいて左右対称の位置にそれぞれ複数個の連結用貫通孔（１０）を開設する。この外枠（３）を前記連結用貫通孔の間隔をおいて複数個並行に並べ、この外枠の上に同様に並行に並ぶようにして他の遊技機の外枠（３）を載置して渡し、上下に重なるこれらの外枠の側枠板（３ｂ，３ｂ）に設ける前記連結用貫通孔（１０，１０）同士を連通させ、これに連結杆（１１）を挿通し緊締することで遊技機同士を連結し、組立て保管する。【選択図】図４
2007089738.tif 000002
【特許請求の範囲】
【請求項１】
外枠の左右の側枠板に所要の間隔を置いて左右対称の位置に複数個の連結用貫通孔を開設し、該連結用貫通孔相互の間隔と等しい間隔を置いて複数個の遊技機を並列させると共に、該並列する複数の遊技機の上に他の遊技機を重ねて直交状に渡し、上下の遊技機の側枠板に形成する前記連結用貫通孔同士を連通させ、且つ該連通する連結用貫通孔に連結杆を挿通して係脱自由に拘束して前記遊技機同士を並列した状態で連結固定することを特徴としたパチンコ遊技機。
【請求項２】
連結用貫通孔は左右の側枠板において、上部と下部の２箇所に間隔をおいて開設されることを特徴とした請求項１に記載のパチンコ遊技機。
【請求項３】
連結用貫通孔は左右の側枠板において、上部と下部及び上部と下部の中間位置の３箇所に等間隔を置いて開設されることを特徴とした請求項１に記載のパチンコ遊技機。
【請求項４】
連通する連結用貫通孔に挿通し係脱自由に拘束する連結杆はボルト及びナットからなることを特徴とした請求項１乃至３に記載のパチンコ遊技機。
【請求項５】
連通する連結用貫通孔に挿通し係脱自由に拘束する連結杆は軸体の一端に頭部を有し、他端に係止爪部を有するラッチであることを特徴とした請求項１乃至３に記載のパチンコ遊技機。
【請求項６】
左右の側枠板に各開設される連結用貫通孔は雌ねじ孔にして、該連結用貫通孔に挿通する連結杆は上記雌ねじ孔に適合した雄ねじ杆とし、該雄ねじ杆の螺着緊締により側枠板同士を連結固定することを特徴とした請求項１乃至３に記載のパチンコ遊技機。
【請求項７】
左右の側枠板に各開設される連結用貫通孔は一方の側枠板において雌ねじ孔とし、また連結杆は上記雌ねじ孔に適合したボルトにして該連結杆を他方の側枠板の連結用貫通孔を通して前記一方の側枠板に形成する雌ねじ孔に螺着緊締することにより側枠板同士を連結固定することを特徴とした請求項１乃至３に記載のパチンコ遊技機。
【発明の詳細な説明】
【技術分野】
【０００１】
本発明は、パチンコ遊技機に関する。更に詳しくはパチンコ遊技機を保管し、或は運搬する際に転倒したり、衝突したりすることなく安定した状態で保管できるようにしたパチンコ遊技機に関する。
【背景技術】
【０００２】
パチンコ遊技機は、周知のように遊技機の本体となる遊技盤、機構部品類を装備する内枠と、この内枠をホールの取付台に固定するための外枠から構成されており、それ自体相当な重量を有する装置となっている。
製造後のパチンコ遊技機（以下、単に「遊技機」とも言う。）は一般には外枠を構成する枠板のいずれかの面を利用して縦向きにするか、横向きにした状態で床に起立させ、遊技機相互が接触しない間隔を保って並べて保管するが、外枠の各枠板面は充分な広さがないため不安定であり、転倒の危険がある。
【０００３】
また、製造されたパチンコ遊技機はトラック輸送によつてホールに搬送されるが、このときは静止した状態にないため単に起立させた状態で運搬することはできない。
そこで、運搬する際には段ボール箱に梱包するか、若しくはトラックの荷台に横向きに起立させて並ばせ積載したのち、並列する外枠の間に長尺な板材を渡して釘を打付けて固定し、遊技機同士が衝突したり転倒するのを防止する方法が採られている。
【０００４】
しかし、段ボール箱による梱包は殆んど箱の再使用が行われないことからコスト高となり、輸送費の負担を大きくする一方、長尺板材による固定方法はこの板材の保管が困難なことから段ボール箱と同様に再使用されることが殆んどなく不経済であると同時に、釘の打付けによって機器を損傷する危険もある。
【０００５】
この様なことから、梱包方法以外の方法によって安全に、且つ経済的にパチンコ遊技機を保管管理する方法が検討されている。その一つの方法は、遊技機の外枠同士を連結し、組合せることによって単独の状態における不安定性を解消することであり、遊技機同士の衝突を回避し、安定させることである。
【０００６】
その一つの提案は、外枠の外面に溝を形成してパチンコ遊技機同士の外枠を井桁に組み合せたとき、上記溝に他方の遊技機の外枠を嵌め合せて連結し、外枠のずれを防止して安定した積み上げを行い、これによって横に並ぶ遊技機同士を固定する方法である。つまり、遊技機同士をその外枠の連結によって組合せ、安定化させる方法であり、例えば特許文献１によって提案される。  
【特許文献１】特開２００２−１９３１０号公報
【０００７】
上記特許文献１に記載の発明は、外枠１１の側部外面４、つまり側枠板の外側面に上下２つの溝２１，２１を形成し、上記外枠１１を横向きにして２つの遊技機１，１を並べた上に同じく横向きにした２つの遊技機１，１を載置し、井桁に組んだとき、上記側部外面４の溝２１に他方の側部外面を嵌め付け、これにより上下の遊技機１，１同士を、そしてこの組合せを利用して下及び上において並行に並ぶ遊技機同士を連結し、組合せて相互に安定した状態に組立て保管に供するものとなっている。
【０００８】
この溝２１の形成によって他の遊技機の外枠の側部外面を嵌め付ける構造は、保管する場合のように静止した状態での組合せにおいては、充分な安定性を得ることができるが、連結される遊技機同士はしっかり固定されている訳ではないので運搬時の衝撃には耐えられるものではなく転倒したり、遊技機相互の衝突を防止することが困難である。
【発明の開示】
【発明が解決しようとする課題】
【０００９】
従って、本発明はこの様な事情に鑑みてパチンコ遊技機の保管時は固より、運搬等衝撃を受ける状況の中にあっても転倒したり、衝突したりすることのない、極めて安定的に連結し、組合った状態を保持することができるようにしたパチンコ遊技機を提供せんとするものである。
特に、本発明は遊技機相互を連結することによって段ボール箱等の梱包資材を要することなく経済的に運搬に供せられると共に、安定した連結組立を得て安全な運搬が行えるようにした連結、組立のための手段を備えたパチンコ遊技機を提供せんとするものである。
【課題を解決するための手段】
【００１０】
本発明は上述目的を達成するため、パチンコ遊技機の外枠に複数個の連結用貫通孔を開設し、他の遊技機の上記外枠に形成する連結用貫通孔とを連通させ、この両孔に連結杆を挿通し、連結することによって遊技機同士を組合せ、安定した状態に起立保持できるようにしたパチンコ遊技機を提供することにある。
【００１１】
更に詳述するならば、本発明は外枠の左右の側枠板に所要の間隔を置いて左右対称の位置に複数個の連結用貫通孔を開設する。そして、この連結用貫通孔相互の間隔と等しい間隔を置いて複数個の遊技機を横向きの起立した状態で並行に並べる一方、この並列する複数の遊技機の上に各外枠の間に渡るように、他の同じく横向きに起立させた遊技機の外枠を直交する如く渡して上下になる双方の側枠板の前記連結用貫通孔同士を連通させ、その後、この連通する前記連結用貫通孔間に連結杆を挿通して係脱自由に拘束することによって前記外枠同士を並列した状態に連結して、遊技機同士を固定するようにしたパチンコ遊技機を提供することにある。
【００１２】
本発明に係るパチンコ遊技機は、遊技機同士を連結することによって遊技機を起立した状態に保持することができるもので、遊技機の転倒を防止して安全に保管することがき、同時に遊技機相互を固定することでその衝突を防止し、更には最も接近可能な状態に連結することで保管空間を最小にし、効率的な保管を可能にしたことにある。
【００１３】
そして、本発明パチンコ遊技機は、遊技機自体を連結の手段にすることによって保管乃至搬送後における梱包用箱などの廃棄処分を不要にし、経済的損失をなくすと共に、遊技機の製造時にこの連結手段を予め備えることによって必要に応じて随時使用することが可能にしたことにある。
【００１４】
前記連結用貫通孔について詳述すると、この連結用貫通孔は縦長矩形状に枠組される外枠に直接設けられることになる。そして、上記外枠に対しては上下の枠板に開設してもよいが、好ましくは左右の側枠板に対して内外面を貫通する如く開設することになる。
この貫通孔は、後述するように遊技機相互を直接連結する連結杆によって形状を異にすることになるが、基本的にはこの連結杆を挿通することが可能な口径を以て形成されることになる。
【００１５】
更に、この連結用貫通孔は左右の側枠板（上下の枠板の場合もある。）に対して複数個、更に具体的には２個又は３個開設される。
２又は３個の開設は、遊技機の連結に当って安定的な起立した状態を得るため、並列的に組合せる上で最低２台が必要であることと、また並列的に揃えた場合、各遊技機の前後の厚みから側枠板の長さの中に収まる台数が３個が限界であることによる。
【００１６】
この２又は３個の連結用貫通孔は、左右の側枠板において対称となる位置に形成されることになる。そして、２個とする場合は、各側枠板の上端と下端に近い上部と下部に、また３個とする場合は上記上部と下部の２個所に加えて両者の中間位置にそれぞれに対して等間隔を置いて形成されることになる。
尚、上記上下の両部に開設される連結用貫通孔は、後述する如く遊技機同士を井桁に組んだとき、一方の遊技機の前後の面に備えられる部品類が他方の遊技機の側枠板の長さを越えてその上端部若しくは下端部から外に突き出ることのない位置に開設するようにすると、遊技機相互を連結組合せたとき一方の遊技機が他方の遊技機の部品類を保護することになる。
【００１７】
一方、外枠同士を直接的に連結する連結杆は連結用貫通孔の形状によってボルトとナットからなる場合、更には軸体の一端に頭部を有し、他端に係止爪部を有したラッチ、所謂ファスナーと称される係止具からなる場合とがある。
【００１８】
連結杆をボルト及びナットの組合せにした場合は、あらゆる形状の貫通孔に対応することが可能となる。また、ボルトからなる雄ねじ杆単独とした場合は連通させる連結用貫通孔の少なくとも一方を雌ねじ孔として形成し、雄ねじ杆を透孔状にする貫通孔側から挿通して雌ねじ孔側の貫通孔に螺着する必要がある。
【００１９】
前記ラッチに係る連結杆は、連結用貫通孔を連通させたのち、その一方から係止爪部を備えた軸端を押し入れ、他方に貫き通して他端の頭部とこの係止爪部を両貫通孔の縁に止めて両者の連結を行うことになり、ボルト等による連結に比較して作業が容易になる。
尚、ラッチは連結作業時に係止爪部を一旦縮小させることから弾性復元力のある合成樹脂若しくは金属素材によって形成されるものとなる。
【００２０】
左右の側枠板に対する前記連結用貫通孔の開設は外枠を矩形に枠組した後に開設してもよいが、作業の効率性から組立る前の単板の状態で開設し、その後外枠として組立ることになる。
外枠は組立てたのち機構部品類を装着した内枠を一側縁の上下に備える蝶番を介して連結することでパチンコ遊技機を完成させることになる。
【００２１】
この様にしてなる本発明パチンコ遊技機は、工場内においては横向きにして外枠の一方の側枠板を床面に添わせて起立させ、次々と並行に立ち上げてこの状態で一旦保管することになるが、実際の保管に当っての取扱いについて更に詳述することにする。
【００２２】
遊技機の連結は先ず、横向きの状態で起立させた２台若しくは３台の遊技機を前記側枠板に形成した連結用貫通孔の間隔を置いて並行に揃え、第１段目を構成することになる。次に、これらの遊技機の上に向きを９０度変えて直交するようにして第２段目を構成する２台若しくは３台の遊技機を上に重ねるように渡し、井桁に組むのである。
【００２３】
このとき、第２段目の各遊技機は、下になる側枠板の連結用貫通孔を第１段目の遊技機の上になる側枠板の連結用貫通孔に一致させ、連通させる。この状態において上記連通した貫通孔に前記連結杆を挿通し、上下になる側枠板同士を連結して下段になる遊技機の外枠と上段になる遊技機の外枠とを連結するのである。
【００２４】
この上下の連結は、同時に各段における遊技機同士を各連結用貫通孔間の間隔を保って並行状に連結し拘束することになるものであり、従って上下に重なる各遊技機は井桁に組まれた状態で結束し、固定されることになり、互いが支持体となって転倒が防止され、同時に遊技機相互の接触並びに衝突を回避することになる。
【００２５】
この２段の積み重ねは、更に３段，４段に発展させることができるものである。各段は互いの連結によってしっかり結束することによって保管のための設置空間を広げることなく保管台数を増すことが可能である。
尚、各段における遊技機は２台である場合と、３台である場合とがあるが、各段とも２台づつ、或は３台づつとしても、また２台と３台を交互に組むようにしても連結関係を構成することができるので、これらは保管の台数等を考慮して任意選択すればよい。
【００２６】
ところで、上記説明では連結用貫通孔を単なる透孔として形成した場合を前提とすることから、これに使用する連結杆はボルトとナットとからなるもの、若しくはラッチ構造の連結杆を使用するものとしたが、側枠板に開設される連結用貫通孔が雌ねじ孔である場合は上記ラッチ構造の連結杆の使用が可能であるが、雌ねじ孔に適合させた雄ねじ杆、即ちボルトを使用することになる。
【００２７】
以上説明するように、本発明のパチンコ遊技機は、２台若しくは３台を横向きにして起立させ、並行状に並べた上に、同じく横向きにした２若しくは３台の遊技機を井桁に組むようにして載置し、重り合う側枠板の連結用貫通孔を連通させたところでこれに連結杆を通し、拘束することで遊技機同士を並行に並んだ状態に固定することができ、転倒乃至衝突を防止するものとなるが、更に本発明は連結バーを使用することで前記連結用貫通孔を利用して横に並列させるパチンコ遊技機同士を連結固定することが可能である。
【００２８】
上記連結バーは、前記説明のパチンコ遊技機の外枠を構成する側枠板に揃えたもの、若しくは長さを前記連結用貫通孔間の長さを最小の長さにして短尺に、又は側枠板の長さを超えて長尺にした板材を基材にするもので、これに前記側枠板に開設する連結用貫通孔と同様の連結用貫通孔を複数個、同一の間隔を置いて開設したものとなる。
【００２９】
この連結バーの使用は、横向きの状態で起立させ、並列させた２若しくは３台（連結バーが長尺である場合は４台以上となる）の遊技機の上に前記第２段目の遊技機を並べる場合と同様に外枠の側枠板に対し直交するように渡し、これに開設する連結用貫通孔と側枠板の連結用貫通孔とを連通させて連結杆の挿通によって連結し、並列する遊技機同士を連結固定するのである。
この連結バーは主として遊技機を積み重ねることなく一段の状態で保管する場合に使用されるもので、連結のため上に積み重ねられる遊技機の側枠板を代用するものとして使用される。
【発明の効果】
【００３０】
以上説明のとおり、本発明のパチンコ遊技機によれば、外枠の左右の側枠板同士を連結用貫通孔に通す連結杆によって連結し、一体に組付けることから並列状に並べた遊技機が横向きに起立した状態にあっても転倒することがなく、また相互に衝突することも防止されるので安定した保管が可能であり、しかも確実で強固な連結状態が得られるため、段ボール箱等で梱包する必要もなく、そのまゝトラック等に積込み安全に運搬することが可能である。
【００３１】
また、横向き状態で起立した遊技機を２段，３段と重ねて保管できることから保管乃至輸送の空間を効率的に利用することができると共に、連結の手段を外枠の側枠板に直接備えることから、使用後その保管のために使用する部材等を別にすることがなく、従って使用後の遊技機を回収する場合にもそのまゝ外枠を使用して保管し、運搬に供することができ、遊技機の損傷等を有効に回避することができる。
【００３２】
しかも、本発明遊技機は、外枠の側枠板に対して貫通孔を開設することによって、或はこの貫通孔にナット等を埋め込み雌ねじ孔とすることによって連結用貫通孔を形成することができることから製造が容易であり、且つこの貫通孔は側枠板内に含まれ外に突出したりすることがないため取扱い上全く支障とならない利点がある。
次に、本発明発明を図示する実施の態様に従って更に具体的に説明することにする。
【発明を実施するための最良の形態】
【００３３】
図１は本発明に係る遊技機の概略正面図で、図２は左側面図である。図面における符号１は遊技機を示し、２は内枠を、３は外枠を示し、４は上記内枠２と共同して外枠３の前面を覆う前板を示す。
外枠３は上下の枠板３ａ，３ａと左右の側枠板３ｂ，３ｂにより縦長の矩形をなす枠体として形成してあり、内枠２はこの外枠３の前面上部を、また前板４は前面下部を塞ぐように組付けられる。
【００３４】
内枠２は中央部に内部に収める遊技盤を覗く窓５を開設し、これにガラスを嵌めて前面からこの遊技盤を透視できるようにしてあり、背面には上記遊技盤を支持すると共に遊技制御装置等の機構部品類を収容するケース６、賞球用の貯留タンク７等を装備する図示しない機構枠体が取付けられる。そして、前板４には前面部に放出される賞球を受ける受皿８を設備し、その下方に打球発射用の操作グリップ９を取付け、背面には図示しない打球の供給装置等を設備する。
【００３５】
縦長で矩形に形成される前記外枠３は、ここでは木製の帯状の板を使用しており、左右の側枠板３ｂ，３ｂには他の遊技機１の側枠板３ｂ（若しくは後述する連結バー）と連結するための連結用貫通孔１０が穿たれる。
【００３６】
上記連結用貫通孔１０は、両側枠板３ｂ，３ｂにおいて対称の位置に同数個が開設されるが、ここでは上端部と下端部に近い上部と下部の２箇所に貫通孔１０ａ，１０ｃと、この両者に対して等距離を置く中間位置に貫通孔１０ｂ設けて３個を開設してある。
この連結用貫通孔１０ａ，１０ｂ，１０ｃは、後述する連結杆の種類によって単なる貫通孔として設けられる場合もあるが、ここでは貫通孔として形成したのち、孔内部にナットを埋設して雌ねじ孔としている。
【００３７】
上部と下部に開設される連結用貫通孔１０ａ，１０ｃは、遊技機１の前後面に突き出して設けられる装置、つまり前記受皿８や操作グリップ９、そして収容ケース６や貯留タンク７の突き出し量を考慮し、これらが後述する如く連結組合せたとき、組合せた外枠の外に突出することのないよう各側枠板３ｂ，３ｂの上下の端部から所要の距離を置いて設けられる。そして、同時に各連結用貫通孔１０ａ，１０ｂ，１０ｃは同じく他の遊技機を介して連結したとき、並列状に並べられる遊技機同士の前部と後部において互いに直接接触することのない間隔を置いて開設されることになる。
【００３８】
従って、この実施の形態では各側枠板３ｂ，３ｂに対し、上下方向に等間隔を置いて３個の連結用貫通孔１０ａ，１０ｂ，１０ｃを開設したが、遊技機１自体の前後の幅が広くなり、連結時に互いが接触することになる場合には、予めこの連結用貫通孔を上下の２個の貫通孔１０ａ，１０ｃについて開設するか、実際の使用時に中間位置の連結用貫通孔１０ｂの使用を止めるかの選択がされることになる。
【００３９】
本発明の遊技機は、上述の如く構成されるもので、次にこの遊技機の保管時乃至運搬時について説明することにする。
遊技機は、先ずその外枠３の一方の側枠板３ｂが床面に当接するように横向きにして起立させ、この状態において３台（実施の形態によっては２台の場合もある）の遊技機１を図３，図４のように並列させる。
このとき、遊技機１は側枠板３ｂに開設する連結用貫通孔１０ａ，１０ｂ，１０ｃの間隔と同じ間隔を置いて並べることになる。
【００４０】
この様にして３台（又は２台）の遊技機を並行状に並べて第１段目を構成したところで、これらの遊技機の上に交錯する状態で１台づつ横向きにする遊技機を渡し、この遊技機の外枠３の一方の側枠板３ｂを上記下になる遊技機１の側枠板３ｂ上に載置し、同時に相互の連結用貫通孔１０同士を連通させてこれに図５に示すように雄ねじ杆、つまりボルト１１を挿通し、ねじ付けて両側枠板同士を連結し、上下の遊技機同士を連結するのである。
【００４１】
この上下の連結作業を上に重ねる他の２台の遊技機についても同様に行い、第１段目の上に３台の遊技機を並行に並べて第２段目を構成するのである。
図３及び図４はこのようにして遊技機相互を連結した状態を示したもので、第１段目を構成する下に並ぶ３台の遊技機と、第２段目を構成する上に並ぶ３台の遊技機とは直交する状態に組合い互いが他方の段を固定する関係に立ってしっかり連結し、一体化することになる。
【００４２】
そして、上下の遊技機は互いに側枠板３ｂ，３ｂの上下両端を横向きになる遊技機の前面と後面から突き出させて（図４を参照。）他の遊技機からこの前面と後面を保護するように組まれることになる。
尚、図面において並列する遊技機の前面と後面の部品同士が接触する状態にあるように見えるが、上下に位置がずれることによって実際の接触は回避されている。しかし、実際に接触する場合は中間に位置する遊技機の連結を外し、２台づつの連結にして井桁の形状に組むことになる。
【００４３】
この様に連結用貫通孔１０を介して連結される遊技機同士は、並列に並んだ状態で一体に組合うことから転倒することがなく、また互いに距離を一定に保つことから衝突することもなく、従って安全に保管することができ、そのまゝ運搬に供することもできる。
また、本発明遊技機は外枠相互を連結するものであることから梱包用の段ボール箱等を要せず、したがって輸送費を節減できると共に梱包用箱の使用後の処分に費用を掛けることがないので経済性に優れる利点がある。
【００４４】
尚、連結杆１１につき、これをボルト及びナットとした場合には市販の製品をそのまゝ利用することができ、また連結用貫通孔を雌ねじ孔とする場合には貫通孔にナットを埋設し、ボルトの連結杆を使って緊締すれば、外枠同士の連結を実現することができる。
また連結杆１１をラッチとする場合には、例えば中空のパイプ状の軸体の一端に頭部を、他端に外方に突出する係止爪部を備える最も基本的なラッチの構造のものであればよく、実際の使用においてはこのラッチを連通させる連結用貫通孔の一方から上記係止爪部側の端部を突き入れ、他方に貫き通して係止爪部を掛け止めると同時に、頭部を差し込み側の縁に止め、この係止爪と頭部によって連結状態を維持するようにすれば、簡単に外枠同士を連結させることができることになる。
勿論ラッチの場合、上記係止爪部を縮小させて係合を外すようにすれば取り外すことができると共に、再使用に供することができることは言うまでもない。
【００４５】
次に、図６から図１１は前記構成に係る本発明遊技機を遊技機同士の連結によらずに、遊技機に代えて連結バー１２により連結する場合を示したものである。
連結バー１２は、外枠３の側枠板３ｂに代わるものであり、略この側枠板と同じ形状に係る板材に側枠板３ｂに形成するのと同じ連結用貫通孔１０、即ちここでは同じ間隔を以て３個の連結用貫通孔１０ａ，１０ｂ，１０ｃを形成したものとなっている。この連結バー１２は図示するように横に並列状に並べて１段に構成し、連結する場合に使用されることになる。
【００４６】
即ち、この連結バー１２は開設する連結用貫通孔１０ａ，１０ｂ，１０ｃ間の間隔に合せて横向き状態に起立させる遊技機の外枠３に対して直交するように渡し、この外枠の側枠板３ｂに穿つ連結用貫通孔に上記貫通孔を合せて連通され、これに連結杆１１を挿通して連結するのである。
【００４７】
図８，図９は並行に並べた２台の遊技機１，１間に２本の連結バー１２を渡して連結した場合を示し、図１０，図１１は３台の遊技機を２本の連結バー１２で連結した場合を示している。
この場合、連結バー１２は側枠板３ｂの上部と下部の連結用貫通孔１０ａ，１０ｃを対象にして２本渡してあるが、１０ａ，１０ｂ間に渡るようにしても、又場合によってはやゝ不安定となるが、中間位置の１０ｂ，１０ｂ間に１本の連結バー１２を渡して連結することもできる。
【００４８】
この連結において使用される連結杆１１は、遊技機１，１同士の場合と同じものが使用され、着脱自由に連結用貫通孔に挿通され連結に供されることになる。
この連結バー１２による場合、使用後は再使用のため保管されるが、単なる板状をなすものであることから、場所を取ることがなく梱包用箱等に比較して遥かに取扱が容易である。
【００４９】
尚、図面の実施態様においては、連結バー１２に３個の連結用貫通孔１０ａ，１０ｂ，１０ｃを開設したものを示しているが、これは２台の遊技機を連結する外に図１０，図１１のように３台の遊技機を連結する場合にも使用可能にするためであり、２個の場合であってもよい。つまり、この連結バー１２は外枠３の側枠板３ｂに代えて連結手段とするものであるから側枠板と同じ考えの下で設計されることになる。
【００５０】
上記連結バー１２による連結は１段の遊技機同士を連結するものであるが、連結操作が容易であることから一時的な保管に有効であり、保管中の転倒を防止する上で有利である。
また、この連結バーは非使用時、連結用貫通孔に連結杆を取付けておくこともできるのでこの連結杆の保管にも利用することができ、その紛失を防止することができる。
【図面の簡単な説明】
【００５１】
【図１】本発明に係る遊技機の概略正面図。
【図２】本発明に係る遊技機の概略正面図左側面図。
【図３】遊技機同士を連結した状態を示す正面図。
【図４】図３に示す遊技機同士を連結した状態の平面図。
【図５】図３のＡ部における連結状態を説明する拡大図。
【図６】連結バーの平面図。
【図７】連結バーの中央縦断左側面図。
【図８】連結バーによって２台の遊技機同士を連結した状態を説明する正面図。
【図９】図８に示す連結バーによって２台の遊技機同士を連結した状態の平面図。
【図１０】連結バーによって３台の遊技機同士を連結した状態を説明する正面図。
【図１１】図１０に示す連結バーによって３台の遊技機同士を連結した状態の平面図。
【符号の説明】
【００５２】
１                遊技機
２                内枠
３                外枠
３ａ              外枠の上部枠と下部枠
３ｂ              外枠の左右の側枠板
１０              連結用貫通孔
１０ａ            上部に開設された連結用貫通孔
１０ｂ            中間位置に開設された連結用貫通孔
１０ｃ            下部に開設された連結用貫通孔
１１              連結杆
１２              連結バー
【図１】
2007089738.tif 000003
【図２】
2007089738.tif 000004
【図３】
2007089738.tif 000005
【図４】
2007089738.tif 000006
【図５】
2007089738.tif 000007
【図６】
2007089738.tif 000008
【図７】
2007089738.tif 000009
【図８】
2007089738.tif 000010
【図９】
2007089738.tif 000011
【図１０】
2007089738.tif 000012
【図１１】
2007089738.tif 000013